(57)【要約】【課題】本発明、サイリスタ調光器に、次のサイクルの起動時に、速く起動させることによって、スイッチ切り換え状態における携帯電話画面の点滅問題を解決し、且つ、サイリスタ調光器の高速導通により、電気回路の有効電力が向上するので、電気回路の高力率を実現し、簡単に調節でき、さらに、電気回路構造が簡単で、コストが低い。【解決手段】本発明に係る携帯電話の画面輝度制御装置は、携帯電話の画面光源を提供するための光源モジュールと、光源モジュールに接続され入力電源を整流するための整流処理モジュールと、前記整流処理モジュールに接続され前記光源の輝度を調節するためのサイリスタ調光器と、前記整流処理モジュール及び前記光源モジュールに接続され前記サイリスタ調光器の導通を維持するのに必要な陽極正方向電流を提供するための第一定電流コントロール処理モジュールと、を含む。【選択図】図２
2018107100.tif 000002
【特許請求の範囲】
【請求項１】
携帯電話画面表示処理ユニットを含む携帯電話の画面輝度制御装置であって、
前記携帯電話画面表示処理ユニットに接続される携帯電話の画面輝度制御ユニットをさらに含み、
前記携帯電話の画面輝度制御ユニットは、
携帯電話の画面光源を提供するための光源モジュールと、
光源モジュールに接続され入力電源を整流するための整流処理モジュールと、
前記整流処理モジュールに接続され前記光源の輝度を調節するためのサイリスタ調光器と、
前記整流処理モジュール及び前記光源モジュールに接続され前記サイリスタ調光器の導通を維持するのに必要な陽極正方向電流を提供するための第一定電流コントロール処理モジュールと、を含むことを特徴とする携帯電話の画面輝度制御装置。
【請求項２】
前記の光源モジュールは、第一ＬＥＤライトと、第一ＬＥＤライトに定電流制御を行う第二定電流コントロール処理モジュールとを含むことを特徴とする請求項１に記載の携帯電話の画面輝度制御装置。
【請求項３】
前記第一定電流コントロール処理モジュールは、第一定電流コントローラと第一抵抗を含み、
前記第二定電流コントロール処理モジュールは、第二定電流コントローラと第二抵抗を含み、
前記第一抵抗がＣ点により前記第二抵抗に接続され、
前記第二定電流コントローラは、一端が前記第一ＬＥＤライトの陰極に接続され、他端が接地され、
前記第二定電流コントローラは、制御端Ｂが前記第二抵抗により接地され、
前記整流処理モジュールの非反転出力端が前記第一定電流コントローラの一端及び前記第一ＬＥＤライトの陽極に接続され、前記整流処理モジュールの反転出力端が前記第一定電流コントローラの他端に接続されから接地され、かつ、前記第一定電流コントローラの制御端Ａが前記第一抵抗と第二抵抗により接地され、
前記第一定電流コントローラが、Ａ点電圧がＣ点電圧を下回るのを検出する時に、前記第一定電流コントローラがオフになり、
前記第一定電流コントローラが、Ａ点電圧がＣ点電圧を上回るのを検出する時に、前記第一定電流コントローラがオンになり、前記サイリスタ調光器の導通を維持するのに必要な陽極正方向電流を提供することを特徴とする請求項２に記載の携帯電話の画面輝度制御装置。
【請求項４】
前記第一ＬＥＤライトが少なくとも一つのＬＥＤバルブを含むことを特徴とする請求項２又は３に記載の携帯電話の画面輝度制御装置。
【請求項５】
前記の光源モジュールは、第一ＬＥＤライト、第二ＬＥＤライトと第三ＬＥＤライト、及び、前記第一ＬＥＤライト、前記第二ＬＥＤライトと前記第三ＬＥＤライトに定電流制御を行う第二定電流コントロール処理モジュールを含むことを特徴とする請求項１に記載の携帯電話の画面輝度制御装置。
【請求項６】
前記第一定電流コントロール処理モジュールは、第一定電流コントローラと第一抵抗を含み、
前記第二定電流コントロール処理モジュールは、第二定電流コントローラと第二抵抗を含み、
前記第一抵抗がＣ点により前記第二抵抗に接続され、前記第二定電流コントローラの制御端Ｂが前記第一ＬＥＤライトの陰極に接続され、制御端Ｄが前記第二ＬＥＤライトの陰極に接続され、制御端Ｅが前記第三ＬＥＤライトの陰極に接続され、制御端Ｆが接地され、制御端Ｈが前記第二抵抗により接地され、前記整流処理モジュールの非反転出力端が前記第一定電流コントローラの一端及び前記第一ＬＥＤライトの陽極に接続され、前記整流処理モジュールの反転出力端が前記第一定電流コントローラの他端に接続されてから接地され、前記第一定電流コントローラの制御端Ａが前記第一抵抗と第二抵抗により接地され、
前記第一定電流コントローラが、Ａ点電圧がＣ点電圧を下回るのを検出する時に、前記第一定電流コントローラがオフになり、
前記第一定電流コントローラが、Ａ点電圧がＣ点電圧を上回るのを検出する時に、前記第一定電流コントローラがオンになり、前記サイリスタ調光器の導通を維持するのに必要な陽極正方向電流を提供することを特徴とする請求項５に記載の携帯電話の画面輝度制御装置。
【請求項７】
前記第一ＬＥＤライト、前記第二ＬＥＤライトと前記第三ＬＥＤライトのバルブは、同じ耐圧と、同じ数量を有することを特徴とする請求項５又は６に記載の携帯電話の画面輝度制御装置。
【請求項８】
前記第一ＬＥＤライト、前記第二ＬＥＤライトと前記第三ＬＥＤライトのバルブは、少なくとも一つであることを特徴とする請求項７に記載の携帯電話の画面輝度制御装置。
【請求項９】
前記整流処理モジュールがブリッジ整流器であることを特徴とする請求項１に記載の携帯電話の画面輝度制御装置。
【請求項１０】
給電電源に接続される入力制御スイッチをさらに含むことを特徴とする請求項１に記載の携帯電話の画面輝度制御装置。
【発明の詳細な説明】
【技術分野】
【０００１】
本発明は、携帯電話の技術分野に関し、より具体的に、携帯電話の画面輝度制御装置に関する。
【背景技術】
【０００２】
携帯電話の画面は、スマホの登場に伴い、携帯電話の最も重要な構成部品になっている。通常の状況では、異なる使用環境において、具体的な状況によって画面輝度を調節する必要がある。例えば、薄暗い環境下では、携帯電話画面の輝度を増やす必要がある。又は、強光の下では、携帯電話の輝度を高く調節することによって、ユーザの閲覧を便利にする必要がある。但し、現有技術において、携帯電話の画面の輝度を調節したり、切り替えたりする時に、点滅を生じる可能性があるので、長期に渡って使用すると、ユーザの健康に不利な影響を与える。どのように携帯電話の輝度を便利に調節するかは、業界に直面する問題である。
【発明の概要】
【発明が解決しようとする課題】
【０００３】
前記問題に鑑みて、本発明の実施形態は、前記問題を部分的又は全般的に解決する携帯電話の画面輝度制御装置を提供することによって、スイッチ切り換え状態における携帯電話画面の点滅問題を解決し、且つ、電気回路の高力率を実現する。さらに、電気回路構造が簡単で、調整を実現し易く、コストが低い。
【課題を解決するための手段】
【０００４】
前記の技術問題を解決する為に、本発明で下記の技術案を採用する。
本発明の実施形態に基づく携帯電話の画面輝度制御装置は、携帯電話画面表示処理ユニットを含み、前記携帯電話画面表示処理ユニットに接続される携帯電話の画面輝度制御ユニットをさらに含み、前記携帯電話の画面輝度制御ユニットは、具体的に、携帯電話の画面光源を提供するための光源モジュールと、光源モジュールに接続され入力電源を整流するための整流処理モジュールと、前記整流処理モジュールに接続され前記光源の輝度を調節するためのサイリスタ調光器と、前記整流処理モジュール及び前記光源モジュールに接続され前記サイリスタ調光器の導通を維持するのに必要な陽極正方向電流を提供するための第一定電流コントロール処理モジュールと、を含む。
【発明の効果】
【０００５】
本発明の実施形態に基づく携帯電話の画面輝度制御装置は、携帯電話の画面光源を提供するための光源モジュールと、光源モジュールに接続され入力電源を整流するための整流処理モジュールと、前記整流処理モジュールに接続され前記光源の輝度を調節するためのサイリスタ調光器と、前記整流処理モジュール及び前記光源モジュールに接続され前記サイリスタ調光器の導通を維持するのに必要な陽極正方向電流を提供するための第一定電流コントロール処理モジュールと、を含む。それにより、サイリスタ調光器に、次のサイクルの起動時に、速く起動させることによって、スイッチ切り換え状態における携帯電話画面の点滅問題を解決し、且つ、サイリスタ調光器の高速導通により、電気回路の有効電力が向上するので、電気回路の高力率を実現し、調整を実現し易く、電気回路構造が簡単で、コストが低い。
【図面の簡単な説明】
【０００６】
【図１】図１は、本発明の実施形態に基づく携帯電話の画面輝度制御装置における整流後の無極性電解コンデンサの母線電圧波形図である。
【図２】図２は、本発明の第一実施形態に基づく携帯電話の画面輝度制御装置の電気回路構造の模式図である。
【図３】図３は、本発明の第二実施形態に基づく携帯電話の画面輝度制御装置の電気回路構造の模式図である。
【発明を実施するための形態】
【０００７】
本発明の実施形態又は現有技術の技術案をより明確に説明する為に、次に実施形態又は現有技術の説明に使用する必要な図面を簡単に紹介する。明らかなことは、以下で説明する図面は本発明に記載されている幾つかの実施形態に過ぎない。当業者にとって、これらの図面によってその他の図面を取得することができる。
次に、本発明実施形態における図面に基づき、本発明の実施形態又は現有技術の技術案をより明確且つ完全に説明する。
【０００８】
既存技術において、携帯電話の画面輝度制御装置は、スイッチ切り換え状態における携帯電話画面の点滅問題により、電気回路中の力率（ＰＦ）値が下がる。具体的に実施する時に、既存技術における携帯電話の画面輝度制御装置において、入力端のＬＣフィルタがサイリスタに発振を生じさせ、この発振により、ＬＥＤ等の駆動電源に、オーディオノイズと点滅が生じる。
【０００９】
また、本発明の趣旨としては、携帯電話の画面光源を提供するための光源モジュールと、光源モジュールに接続され入力電源を整流するための整流処理モジュールと、前記整流処理モジュールに接続され前記光源の輝度を調節するためのサイリスタ調光器と、前記整流処理モジュール及び前記光源モジュールに接続され前記サイリスタ調光器の導通を維持するのに必要な陽極正方向電流を提供するための第一定電流コントロール処理モジュールと、を含む携帯電話の画面輝度制御装置によって、サイリスタ調光器が正弦波の波形を破壊してしまうが、前記サイリスタ調光器の導通を維持するのに必要な陽極正方向電流を提供することができる。それによって、サイリスタ調光器に、次のサイクルの起動時に、速く起動させ、スイッチ切り換え状態における携帯電話画面の点滅問題を解決し、且つ、サイリスタ調光器の高速導通により、電気回路の有効電力が向上するので、電気回路の高力率を実現し、調整を実現し易く、さらに、電気回路構造が簡単で、コストが低い。
【００１０】
図１は、図面に示されたように、本発明の実施形態に基づく携帯電話の画面輝度制御装置における整流後の無極性電解コンデンサの母線電圧波形図である。
【００１１】
図示のように、本実施形態における整流された母線電圧波形は非正弦波である。具体的に、本実施例において、サイリスタ調光器がｔ１時点で導通し、ｔ２時点でオフになり、その一方で、その次のサイクルにおけるｔ３時点で、サイリスタ調光器が再度導通し、このようにサイクルを繰り返す。その中で、ｔ２とｔ３との間隔範囲内においては、画面が消えることとなる。ここでは贅言を要しない。
【００１２】
図２は、本発明の第一実施形態に基づく携帯電話の画面輝度制御装置の電気回路構造の模式図である。
【００１３】
本実施形態は、サイリスタ調光器により携帯電話の画面光源（例えば、ＬＥＤライト）の負荷輝度を制御する。一つの具体的な実施形態として、携帯電話の画面光源に採用されるＬＥＤの例が挙げられる。整流処理モジュールにはブリッジ整流器ＢＲ１を採用し、光源モジュールは第一ＬＥＤライトと、前記第一ＬＥＤライトに定電流制御を行う第二定電流コントロール処理モジュールと、を含み、第一ＬＥＤ定電流コントロール処理モジュールは、第一ＬＥＤ定電流コントローラと第一抵抗を含み、前記第二ＬＥＤ定電流コントロール処理モジュールは、第二ＬＥＤ定電流コントローラと第二抵抗を含む。更に、入力電源の制御を便利にする為に、電源スイッチを含んでも良い。
【００１４】
具体的に、本実施形態における携帯電話の画面輝度制御装置は、主に下記の構造部品を含み、即ち、電源スイッチＳ０、サイリスタ調光器ＢＧ１、ブリッジ整流器ＢＲ１、二つのＬＥＤ定電流コントローラ、ＬＥＤ定電流コントローラ１（即ち、第一ＬＥＤ定電流コントローラ）とＬＥＤ定電流コントローラ２（即ち、第二ＬＥＤ定電流コントローラ）、サンプリング抵抗Ｒ１（即ち、第一抵抗）とサンプリング抵抗Ｒ２（即ち、第二抵抗）、ＬＥＤライト（即ち、第一ＬＥＤライトであり、実際に、第一ＬＥＤライトが少なくとも一つのＬＥＤバルブを含み、又は、三つのＬＥＤバルブを含むＬＥＤライトであっても良く、又はその他の数量のＬＥＤバルブから構成されるＬＥＤライトであっても良く、ここで具体に限定しない）。
【００１５】
また、具体的な電気回路においては、各構造部品間の接続関係が下記の通りである。ブリッジ整流器ＢＲ１は電源スイッチＳ０とサイリスタ調光器ＢＧ１を介して給電電源に接続され、ブリッジ整流器ＢＲ１の非反転出力端がＬＥＤ定電流ドライバー１の一端及びＬＥＤライトの陽極に接続され、ブリッジ整流器ＢＲ１の反転出力端がＬＥＤ定電流ドライバー１の他端に接続されてから接地され、ＬＥＤ定電流ドライバー１の制御端Ａが、サンプリング抵抗Ｒ１とＲ２により接地され、サンプリング抵抗Ｒ１とＲ２がＣ点により接続される。前記ＬＥＤライトの陰極がＬＥＤ定電流ドライバー２の一端に接続され、ＬＥＤ定電流ドライバー２の他端が接地される。これと同時に、ＬＥＤ定電流ドライバー２の制御端Ｂが、サンプリング抵抗Ｒ２により接地される。
【００１６】
次に、本実施形態における携帯電話の画面輝度制御装置の作動プロセスを詳細に説明する。
【００１７】
電源スイッチがオンになる場合、Ｔ１サイクルにおいて、サイリスタ調光器ＢＧ１を調整してｔ１時点で導通をオンにするようにし、母線電圧Ｖｉｎ＞ＶＬＥＤライトの場合、ＬＥＤライトが点灯し、即ち、携帯電話画面が点灯し、この時、ＬＥＤ定電流コントローラ２がＬＥＤライトを駆動し、ＬＥＤライトの電流を制御する。ＬＥＤライトに流れる電流がＩＬＥＤライト＝  Ｖｔｈ／Ｒ２である。
【００１８】
Ｖｉｎ＜ＶＬＥＤライトの場合、ＬＥＤ定電流コントローラ２がオフになり、ＬＥＤライトが消灯し、即ち、携帯電話が消え、Ｃ点の電圧がＡ点の電圧より小さく、ＬＥＤ定電流コントローラ１がオンし、サイリスタ調光器ＢＧ１の維持電流Ｉｈｏｌｄ＝  ＶＡ／（  Ｒ１＋Ｒ２）を提供する（ＶＡがＡ点の電圧を表す）。
【００１９】
Ｔ２サイクルにおいて、サイリスタ調光器ＢＧ１のｔ３時点で、再度導通する。プロセスが同様であり、ここでは贅言を要しない。
【００２０】
要するに、本実施形態における携帯電話の画面輝度制御装置は、ＬＥＤ定電流ドライバー１により、サイリスタ調光器の導通を維持するのに必要な陽極正方向電流を提供し、サイリスタ調光器に、次のサイクルの起動時に、速く起動させ、スイッチ切り換え状態における携帯電話画面（例えば、ＬＥＤライト）の点滅問題を解決し、且つ、サイリスタ調光器の高速導通により、電気回路の有効電力が向上するので、電気回路の高力率を実現し、調整を実現し易く、さらに、電気回路構造が簡単で、コストが低い。
【００２１】
図３は、本発明の第二実施形態に基づく携帯電話の画面輝度制御装置の電気回路構造の模式図である。
【００２２】
本実施形態において、線形三列調光ＬＥＤ駆動電気回路の応用方式を適用する。一つの具体的な実施形態として、整流処理モジュールはブリッジ整流器を採用しても良い。携帯電話の画面光源に採用されるＬＥＤを例として、光源モジュールは下記構造部品を含む。第一ＬＥＤライト、第二ＬＥＤライトと第三ＬＥＤライト、及び、前記第一ＬＥＤライト、前記第二ＬＥＤライトと前記第三ＬＥＤライトに定電流制御を行う第二定電流コントロール処理モジュールを含む。また、第一ＬＥＤ定電流コントロール処理モジュールは、第一ＬＥＤ定電流コントローラと第一抵抗を含み、前記第二ＬＥＤ定電流コントロール処理モジュールは、第二ＬＥＤ定電流コントローラと第二抵抗を含む。更に、入力電源の制御を便利にする為に、電源スイッチを含んでも良い。
【００２３】
具体的に、本実施形態における携帯電話の画面輝度制御装置は、主に下記の構造部品を含み、即ち、電源スイッチＳ０、サイリスタ調光器ＢＧ１、ブリッジ整流器ＢＲ１、二つのＬＥＤ定電流コントローラ、ＬＥＤ定電流コントローラ１（即ち、第一ＬＥＤ定電流コントローラ）とＬＥＤ定電流コントローラ２（即ち、第二ＬＥＤ定電流コントローラ）、サンプリング抵抗Ｒ１とＲ２、ＬＥＤライト、ＬＥＤライト１（即ち、第一ＬＥＤライト）、ＬＥＤライト２（即ち、第二ＬＥＤライト）とＬＥＤライト３（即ち、第三ＬＥＤライト）を含む。実際には、第一ＬＥＤライト、第二ＬＥＤライトと第三ＬＥＤライトのバルブは、同じ耐圧と同じ数量を有し、ライトバルブの数量が少なくとも一つであり、この実施例では、たとえば、ライトバルブの全てが三つ、又はその他の数量であり、ここで具体に限定しない。
【００２４】
また、具体的な電気回路においては、各構造部品間の接続関係が下記の通りである。ブリッジ整流器ＢＲ１は電源スイッチＳ０とサイリスタ調光器ＢＧ１を介して給電電源に接続され、ブリッジ整流器ＢＲ１の非反転出力端がＬＥＤ定電流ドライバー１の一端及びＬＥＤライトの陽極に接続され、ブリッジ整流器ＢＲ１の反転出力端がＬＥＤ定電流ドライバー１の他端に接続されから接地され、前記ＬＥＤ定電流ドライバー１の制御端Ａが、サンプリング抵抗Ｒ１とＲ２により接地される。前記ＬＥＤライト１の陰極がＬＥＤ定電流ドライバー２の制御端Ｂに接続され、かつ、ＬＥＤライト１の陰極がＬＥＤライト２の陽極に接続され、前記ＬＥＤライト２の陰極がＬＥＤ定電流ドライバー２の制御端Ｄに接続され、かつ、ＬＥＤライト２の陰極がＬＥＤライト３の陽極に接続され、前記ＬＥＤライト３の陰極がＬＥＤ定電流ドライバー２の制御端Ｅに接続され、ＬＥＤ定電流ドライバー２の制御端Ｈが、サンプリング抵抗Ｒ２により接地され、ＬＥＤ定電流ドライバー２の制御端Ｆも接地される。
【００２５】
次に、本実施形態における携帯電話の画面輝度制御装置の作動プロセスを詳細に説明する。
【００２６】
電源スイッチがオンになる場合、Ｔ１サイクルにおいて、サイリスタ調光器ＢＧ１がｔ１時点で導通し、整流された母線電圧Ｖｉｎが持続して上昇し、整流された母線電圧Ｖｉｎ＞ＶＬＥＤライト１の場合、ＬＥＤライト１が点灯し、これと同時に、ＬＥＤ定電流コントローラ１が制御端Ａ点の電圧を測定し、Ａ点電圧がＣ点電圧に等しい場合、ＬＥＤ定電流コントローラ１がオフになり、Ｖｉｎが持続して上昇し、ＬＥＤライト１は段々明るくなり、即ち、携帯電話画面が段々明るくなり、整流された母線電圧Ｖｉｎ＞ＶＬＥＤライト１＋ＶＬＥＤライト２の場合、ＬＥＤライト２が点灯し、Ｖｉｎが継続して上昇し、ＬＥＤライト１とＬＥＤライト２が明るくなり、即ち、携帯電話画面が継続して明るくなり、整流された母線電圧Ｖｉｎ＞ＶＬＥＤライト１＋ＶＬＥＤライト２＋ＶＬＥＤライト３の場合、ＬＥＤライト３が点灯し、Ｖｉｎが継続して上昇し、ＬＥＤライト１、ＬＥＤライト２とＬＥＤライト３の輝度が継続して増大し、即ち、携帯電話画面が継続して明るくなり、Ｔ１サイクルにおいて、整流された母線電圧が最大値になる時に、三つのＬＥＤライトの輝度も最大に達し、即ち、携帯電話画面の輝度も最大に達する。
【００２７】
更に、ＬＥＤ定電流コントローラ２が三つのＬＥＤライトを駆動し、三つのＬＥＤライトの電流を制御する。この時、三つのＬＥＤライトに流れる電流が、それぞれＩＬＥＤライト１＝Ｖｔｈ１／Ｒ２、ＩＬＥＤライト２＝Ｖｔｈ２／Ｒ２とＩＬＥＤライト３＝Ｖｔｈ３／Ｒ２である。Ｔ１サイクルにおいて、整流された母線電圧Ｖｉｎが段々下がる場合、三つのＬＥＤライトの輝度も相応に下がる。整流された母線電圧ＶＬＥＤライト１＋ＶＬＥＤライト２＜Ｖｉｎ＜ＶＬＥＤライト１＋ＶＬＥＤライト２＋ＶＬＥＤライト３の場合、ＬＥＤライト３が消え、即ち、携帯電話画面が暗くなり、Ｖｉｎが引き続き下がり、整流された母線電圧ＶＬＥＤライト１＜Ｖｉｎ＜ＶＬＥＤライト１＋ＶＬＥＤライト２の場合、ＬＥＤライト２が消え、携帯電話画面が段々暗くなる。整流された母線電圧Ｖｉｎ＜ＶＬＥＤライト１の場合、ＬＥＤ定電流コントローラ１が制御端Ａ点の電圧を測定し、Ａ点電圧がＣ点電圧を上回る場合、ＬＥＤ定電流コントローラ１がオンし、これと同時に、ＬＥＤ定電流コントローラ２がオフになり、ＬＥＤライト１が消え、即ち、携帯電話の画面が消える。ｔ２時点でサイリスタ調光器ＢＧ１がオフになるように制御し、ＬＥＤ定電流ドライバー１が、サイリスタ調光器ＢＧ１の導通を維持するのに必要な陽極正方向電流を提供する。また、Ｔ２サイクルにおいて、サイリスタ調光器ＢＧ１が、ｔ３時点で、導通をオンにし、サイリスタ調光器ＢＧ１を調整し、整流された母線電圧Ｖｉｎ＞ＶＬＥＤライト１の場合、ＬＥＤライト１が点灯し、即ち、携帯電話の画面が点灯し、これと同時に、ＬＥＤ定電流コントローラ１が制御端Ａ点の電圧を測定し、Ａ点電圧がＣ点電圧に等しい場合、ＬＥＤ定電流コントローラ１がオフになり、その後、上記の制御プロセスを繰り返すが、ここでは贅言を要しない。
【００２８】
要するに、本実施形態における携帯電話の画面輝度制御装置は、ＬＥＤ定電流コントローラ２により、複数のＬＥＤライト（例えば、本実施形態における三つのＬＥＤライト）を駆動し、線形三列調光ＬＥＤ駆動電気回路の応用方式に適用できる。さらに、ＬＥＤ定電流ドライバー１により、サイリスタ調光器の導通を維持するのに必要な陽極正方向電流を提供し、サイリスタ調光器に、次のサイクルの起動時に、速く起動させ、スイッチ切り換え状態における携帯電話画面の点滅問題を解決し、且つ、サイリスタ調光器の高速導通により、電気回路の有効電力を向上するので、電気回路の高力率を実現し、調整を実現し易く、さらに、電気回路構造が簡単で、コストが低い。
【図１】
2018107100.tif 000003
【図２】
2018107100.tif 000004
【図３】
2018107100.tif 000005
【外国語明細書】
2018107100000001.pdf